(57)【要約】【課題】高齢化が進む中で、従来の花留は重量があり重たく、花器もそれなりのものが必要であり、水を入れれば更に重たくなり、花を生けること自体難しくなっている。したがって当発明のように、軽くて、身辺の生活雑器に野辺の草花を生け、身近に置けるものが望ましい。花留自体がおしゃれで、軽く扱い易いので、子供や高齢者は屋外に出て草花を摘む喜びと生けて鑑賞する楽しさを感じられる花留を提供するものである。。【解決手段】  山形に折曲した波状又は湾曲の波状で金属又は、合成樹脂の帯状体、２枚を対向接触、或いは上下に対向接触させることで、中空部を設けた花留。請求項３金属もしくは合成樹脂の帯状体(１)を折曲(１a)又は湾曲(１b)して、接触させ固定することにより中空部を並設させ、中空部に保水性部材(４)を挿入してなる花留。【選択図】図１５
2012090942.tif 000002
【特許請求の範囲】
【請求項１】
折曲又は湾曲させた金属もしくは合成樹脂の帯状体を対向接触させることで複数の中空部を並設させたことを特徴とする花留。
【請求項２】
折曲又は湾曲させた金属もしくは合成樹脂の帯状体を上下に対向接触させることで中空部を形成する請求項１記載の花留。
【請求項３】
折曲又は湾曲させた金属もしくは合成樹脂の帯状体の折曲部又は湾曲部を接触させることにより中空部を並設させた花留。
【請求項４】
中空部に保水性部材を挿入した上記請求項１、２、３記載の花留。
【発明の詳細な説明】
【技術分野】
【０００１】  本発明は、花を生ける花留に関するものであって、従来の花留は鉛で造ったものや鋳物製のもの、剣山等、形も様々であるが、茎の細い一本の花を挿す場合、鉛製の花留はバランス的に重たく感じるうえ、挿し難い欠点がある。本発明は軽くて持ち運びに便利な花留であるから子供や高齢者でも扱い易く、身近にある器で花を生けて楽しむことが出来る。現代の住居空間や生活様式に適した花留を提供する。
【背景技術】
【０００２】  従来の花留は鉛で作ったものや鋳物性のもの、剣山など形も様々であるが、茎の細い一本の花を挿す場合、鉛製の花留は重たい感じがしてバランス面から見てもすっきりしない、又年齢を増してくると重たくて扱い難い欠点があった。陶器製の穴の明いている物などあるが、ちょっと茎が太いと入らないという欠点があり、使い難い面もあった。
【先行技術分野】
【０００３】  本発明のような花留はなかった。
【発明の概要】
【発明が解決しようとする課題】
【０００４】  上記のように従来の花留は鉛で造ったものや鋳物性のもの、剣山など形状も様々であり、重量があるので、落としたら怪我をする恐れがあった。また重量のあるものでなければ花が倒れてしまった。これを使用するには、それなりの花器でなければ水を充分に入れなれないので生け花を枯らしてしまうことになる。現在の生活様式や住居の空間を考えると少量の花を生けるには、使い難い面もあるので、手軽に、誰でも、花器として作ったものでなくても生活雑器にでも花を生けて楽しめる花留を提供する。
【課題を解決するための手段】
【０００５】  前述の目的を達成するために本発明は、請求項１に示すように折曲又は湾曲させた金属、もしくは合成樹脂の帯状体を対向接触させることで複数の中空部を並設させたことを特徴とする花留である。請求項２、折曲又は湾曲させた金属もしくは合成樹脂の帯状体を上下に対向接触させることで中空部を形成する請求項１記載の花留。請求項３、折曲又は湾曲させた金属もしくは合成樹脂の帯状体の折曲部又は湾曲部を接触させることにより中空部を並設させた花留であり、何れも中空部に花を生けるものである。請求項４、中空部に保水性部材を挿入した上記請求項１、２、３記載の花留であって前記対向部の空間に保水性部材が収納され、容易に花を挿せるようにして、生けることが出来るものであり、花器も身近にある器や、食器の皿で水が少量であっても、保水性部材が水を吸水しているので、花の鮮度を保つ事が出来る。少しの空間があれば花を置いて楽しむことが出来る。本発明の花留は軽量なので子供でも、老齢の方でも扱えるものである。本発明の花留は軽量ではあるが支点が多いので安定しており、また保水性部材を花留の中空部に挿入して併用することにより、花留と保水性部材が一体化して重量を増し安定して活けることが出来るので、花も一層挿しやすい利点が生じた。【０００６】請求項１に示すように折曲又は湾曲させた金属もしくは合成樹脂の帯状体を対向接触させることで複数の中空部を並設させたことを特徴とする花留であるから、２枚の帯状体が中空部を保持する必要があるので固定具にて左右の両端や任意の箇所を取り外し可能に止める、又は固着する。請求項２の  折曲又は湾曲させた金属もしくは合成樹脂の帯状体を上下に対向接触させることで中空部を形成する。請求項１記載の花留であるから接触部において。相互に差し込まれる結束用スリットを形成する。請求項３記載の折曲又は湾曲させた金属もしくは合成樹脂の帯状体の折曲部又は湾曲部を接触させることにより中空部を並設させた花留である。請求項４の保水性部材は中空部全体に挿入しても良いし、花を生ける必要な処のみに挿入しても良く自由である。【０００７】  使用方であるが、任意の容器に本発明の花留を置き、中空部に花を挿すのであるが、中空部が広く挿し辛いときは、花茎を花留の高さに切って中空部を埋めて挿しても良いが、保水性部材を予め、花留の高さに切っておき、花留の上に保水性部材を載せて押さえ切り、もしくは、花留で保水性部材を切り抜く方法等、何れでも良く花留の中空部に保水性部材を簡単に挿入することが出来るので、細い花茎でも、容易に止めることが可能となった。花を大きく沢山に入れたい場合は花留を２組、３組と増やすことも出来る。まず花を生ける器に保水性部材を挿入した花留を置き、水を器の端から静かに満たし保水性部材に水が充分浸透してから花を生ける。急激に保水性部材の上から水を注ぐと、充分に水が吸収されない。本発明の寸法は特に限定しないが、一般的には、一箇所の中空部が２センチ〜４センチ四方で高さも２センチ〜４センチ位のものが扱い易い。材質の金属は錆ないものが望ましい。
【発明の効果】
【０００８】  本発明の花留は上記したように、軽量で簡単に花を挿すことが出来るので、生け花を習得したことが無くても、一輪の花でも挿して楽しむことが出来る。又老若男女、幼児でも、生け花を楽しむ事が出来、幼児や子供においては、色彩感覚を養い情操教育にもなり、これからは高齢化が進む中で、お年よりも身近な器に野辺の花を挿し季節の移ろいを楽しむ事が出来ると確信する。また吸水性部材も花留の中空部に挿入するので、少量でよい。
【図面の簡単な説明】
【０００８】
【図１】本発明、請求項１の帯状体を屈折したものを真上から見た平面図である。
【図２】本発明、請求項１の花留であって屈折した帯状体を対向接触したもので真上から見た平面図である。
【図３】本発明請求項１の斜視図であって固定具で左右を止めている。
【図４】中空部を保つための固定具の斜視図である。
【図５】湾曲にした帯状対を真上から見た平面図である。
【図６】図５の湾曲にした帯状体を少しずらして中空部に変化をもたらした斜視図。
【図７】本発明請求項２の帯状体の平面図である。
【図８】真上から見た図７の帯状体の平面図。
【図９】図８の帯状体を二枚組み合わせた本発明、請求項２の中空部が１個の真上から見た花留の平面図である。
【図１０】本発明、請求項２の花留であっ中空部が１個の図８の斜視図である。
【図１１】本発明請求項２の中空部が２個の帯状体の平面図でスリットの位置と折曲部を示す。
【図１２】図１１の折曲した帯状体を真上から見た平面図。
【図１３】図１２の折曲した帯状体を組み合わせ真上から見た平面図。
【図１４】本発明請求項２の中空部が２個の図１３の斜視図。
【図１５】本発明請求項２の中空部３個の使用状態を示す斜視図で中空部に保水性部材が挿入されている。
【図１６】図１６は、帯状体を連続に湾曲して中空部を設けた請求項３の実施例を示すものである。
【発明を実施するための最良の形態】
【実施例】
【０００９】  以下本発明の実施の形態を図示しながら説明する。【００１０】  図１に示すものは帯状体を左右の両端を水平にして図のように折曲し連結したものである。図では左右の両端を水平にしたが、折曲でも良い。又折曲部の数により中空部が増減する。【００１１】  図２に示すものは、図１に示す帯状体と全く同じ形状を２枚作って、どちらか一方の帯状体の上下を逆にして対向接触させたものであり中空部が３箇所出来ている。【００１２】  図３に示すものは、図２に示す２枚の帯状体の中空部を固定するために左右の両端を下記図４記載の固定具で止めたものである。図では固定具を使用したが、接触部を固着しても良い。【００１３】  図４に示すものは、２枚の帯状体を固定するための固定具である。【００１４】  図５に示すものは２枚の帯状体を全く同じ湾曲にし、その１枚を上下、逆にして、対向接触させ中空部を三箇所設けたものである。【００１５】  図６は、図５のものを少しずらして、中空部に変化をもたせたものであり、両端は固定具で止めて、中空部に保水性部材が入っている状態を示す。図のように帯状体の側面に穴を設ければ穴からでも花を挿す事が出来る。また穴を明けることにより花留が美しくなる。【００１６】  図７に示すものは、請求項２の  折曲又は湾曲させた金属もしくは合成樹脂の帯状体を上下に対向接触させることで中空部を形成する。請求項１記載の花留であるから接触部において相互に差し込まれる結束用スリット部を設けた帯状体で、中心の折曲する位置とスリットの位置を示すものである。【００１７】  図８、に示す帯状体を９０度に折曲した図である。【００１８】  図９に示すものは、上記図８の帯状体で２枚全く同じ形状のものであり、内１枚を上下、逆にして組み合わせ対向接触させたものである。【００１９】  図１０は、図９の斜視図であり、中空部が一箇所の花留である。【００２０】  図１１は請求項２の  折曲又は湾曲させた金属もしくは合成樹脂の帯状体を上下に対向接触させることで中空部を形成する。請求項１記載の花留であるから接触部において相互に差し込まれる結束用スリット部を設けた帯状体で、中心の折曲する位置とスリットの位置を示すものであり中空部が二箇所出来る。【００２１】  図１２は、図１１に示す帯状体を９０度に折曲した図である。【００２２】  図１３は、図１２に示す帯状体を２枚全く同じ形状のものを１枚だけ上下、逆にして対向接触させたものである。【００２３】  図１４は、中空部が二箇所出来た花留である。同じような方法で中空部を増やすことが出来る。【００２４】  図１５は請求項２の中空部が三箇所あり、請求項４記載の中空部には保水性部材を入れ植物を挿した本発明の花留の使用例を示すものである。【００２５】  図１６は、帯状体を連続に湾曲して中空部を設けた請求項３の実施例を示すものである。
【産業上の利用可能性】
【００２６】  高齢化が進む中で、従来の花留は重量があり重たく、花器もそれなりのものが必要で、水を入れれば更に重たくなり、花を生けること自体難しくなっている。したがって当発明のように、軽くて、身辺の生活雑器に野辺の草花を生けて身近に置けるものが望ましい。花留自体がおしゃれで、軽くて扱い易いので、高齢者は屋外に出て草花を摘む喜びと生けて鑑賞する楽しさを感じられると思うので、商品化も容易であるから社会に貢献できるものと確信する。
【符号の説明】
【００２７】１‥‥帯状体。
１ａ‥‥折曲部。
１ｂ‥‥湾曲部
２‥‥スリット
３‥‥固定部材
４‥‥保水性部材。
【図１】
2012090942.tif 000003
【図２】
2012090942.tif 000004
【図３】
2012090942.tif 000005
【図４】
2012090942.tif 000006
【図５】
2012090942.tif 000007
【図６】
2012090942.tif 000008
【図７】
2012090942.tif 000009
【図８】
2012090942.tif 000010
【図９】
2012090942.tif 000011
【図１０】
2012090942.tif 000012
【図１１】
2012090942.tif 000013
【図１２】
2012090942.tif 000014
【図１３】
2012090942.tif 000015
【図１４】
2012090942.tif 000016
【図１５】
2012090942.tif 000017
【図１６】
2012090942.tif 000018
【手続補正書】
【提出日】平成23年5月23日(2011.5.23)
【手続補正１】
【補正対象書類名】特許請求の範囲
【補正対象項目名】全文
【補正方法】変更
【補正の内容】
【特許請求の範囲】
【請求項１】
折曲又は湾曲させた金属もしくは合成樹脂の帯状体を対向接触させることで複数の中空部を並設させたことを特徴とする花留。
【請求項２】
折曲又は湾曲させた金属もしくは合成樹脂の帯状体を上下に対向接触させることで中空部を形成する請求項１記載の花留。
【請求項３】
折曲又は湾曲させた金属もしくは合成樹脂の帯状体の折曲部又は湾曲部を接触させることにより中空部を並設させた花留。
【手続補正２】
【補正対象書類名】明細書
【補正対象項目名】全文
【補正方法】変更
【補正の内容】
【発明の詳細な説明】
【技術分野】
【０００１】
本発明は、花を生ける花留に関するものであって、従来の花留は鉛で造ったものや鋳物製のもの、剣山等、形も様々であるが、茎の細い一本の花を挿す場合、鉛製の花留はバランス的に重たく感じるうえ、挿し難い欠点がある。本発明は軽くて持ち運びに便利な花留であるから子供や高齢者でも扱い易く、身近にある器で花を生けて楽しむことが出来る。現代の住居空間や生活様式に適した花留を提供する。
【背景技術】
【０００２】
従来の花留は鉛で作ったものや鋳物性のもの、剣山など形も様々であるが、茎の細い一本の花を挿す場合、鉛製の花留は重たい感じがしてバランス面から見てもすっきりしない、又年齢を増してくると重たくて扱い難い欠点があった。陶器製の穴の明いている物などあるが、ちょっと茎が太いと入らないという欠点があり、使い難い面もあった。    
【先行技術文献】
【特許文献】
【０００３】
【特許文献１】特開２０００―２７９２９７
【特許文献２】特開２００１―１９７９８７
【発明の概要】
【発明が解決しようとする課題】
【０００４】
上記のように従来の花留は鉛で造ったものや鋳物性のもの、剣山など形状も様々であり、重量があるので、落としたら怪我をする恐れがあった。また重量のあるものでなければ花が倒れてしまった。これを使用するには、それなりの花器でなければ水を充分に入れなれないので生け花を枯らしてしまうことになる。現在の生活様式や住居の空間を考えると少量の花を生けるには、使い難い面もあるので、手軽に、誰でも、花器として作ったものでなくても生活雑器にでも花を生けて楽しめる花留を提供する。
【課題を解決するための手段】
【０００５】
前述の目的を達成するために本発明は、請求項１に示すように折曲又は湾曲させた金属、もしくは合成樹脂の帯状体を対向接触させることで複数の中空部を並設させたことを特徴とする花留である。請求項２、折曲又は湾曲させた金属もしくは合成樹脂の帯状体を上下に対向接触させることで中空部を形成する請求項１記載の花留。請求項３、折曲又は湾曲させた金属もしくは合成樹脂の帯状体の折曲部又は湾曲部を接触させることにより中空部を並設させた花留であり、何れも中空部に花を生けるものである。前記対向部の空間に保水性部材を収納すれば、容易に花を生けることが出来るものであり、花器も身近にある器や、食器の皿で水が少量であっても、保水性部材が水を吸水しているので、花の鮮度を保つ事が出来る又、少しの空間があれば花を置いて楽しむことが出来る。本発明の花留は軽量なので子供でも、老齢の方でも扱えるものである。本発明の花留は軽量ではあるが支点が多いので安定しており、また保水性部材を花留の中空部に挿入して併用することにより、花留と保水性部材が一体化して重量を増し安定して活けることが出来るので、花も一層挿しやすい利点が生じた。
【０００６】
請求項１に示すように折曲又は湾曲させた金属もしくは合成樹脂の帯状体を対向接触させることで複数の中空部を並設させたことを特徴とする花留であるから、２枚の帯状体が中空部を保持する必要があるので固定具にて左右の両端や任意の箇所を取り外し可能に止める、又は固着する。請求項２の  折曲又は湾曲させた金属もしくは合成樹脂の帯状体を上下に対向接触させることで中空部を形成する。請求項１記載の花留であるから接触部において。相互に差し込まれる結束用スリットを形成する。請求項３記載の折曲又は湾曲させた金属もしくは合成樹脂の帯状体の折曲部又は湾曲部を接触させることにより中空部を並設させた花留である。
【０００７】
使用方であるが、任意の容器に本発明の花留を置き、中空部に花を挿すのであるが、中空部が広く挿し辛いときは、花茎を花留の高さに切って中空部を埋めて挿しても良いが、保水性部材を予め、花留の高さに切っておき、花留の上に保水性部材を載せて押さえ切り、もしくは、花留で保水性部材を切り抜く方法等、何れでも良く花留の中空部に保水性部材を簡単に挿入することが出来るので、細い花茎でも、容易に止めることが可能となった。花を大きく沢山に入れたい場合は花留を２組、３組と増やすことも出来る。まず花を生ける器に保水性部材を挿入した花留を置き、水を器の端から静かに満たし保水性部材に水が充分浸透してから花を生ける。急激に保水性部材の上から水を注ぐと、充分に水が吸収されない。本発明の寸法は特に限定しないが、一般的には、一箇所の中空部が２センチ〜４センチ四方で高さも２センチ〜４センチ位のものが扱い易い。材質の金属は錆ないものが望ましい。
【発明の効果】
【０００８】
本発明の花留は上記したように、軽量で簡単に花を挿すことが出来るので、生け花を習得したことが無くても、一輪の花でも挿して楽しむことが出来る。又老若男女、幼児でも、生け花を楽しむ事が出来、幼児や子供においては、色彩感覚を養い情操教育にもなり、これからは高齢化が進む中で、お年よりも身近な器に野辺の花を挿し季節の移ろいを楽しむ事が出来ると確信する。また吸水性部材も花留の中空部に挿入するので、少量でよい。
【図面の簡単な説明】
【０００９】
【図１】本発明、請求項１の帯状体を屈折したものを真上から見た平面図である。
【図２】本発明、請求項１の花留であって屈折した帯状体を対向接触したもので真上から見た平面図である。
【図３】本発明請求項１の斜視図であって固定具で左右を止めている。
【図４】中空部を保つための固定具の斜視図である。
【図５】湾曲にした帯状対を真上から見た平面図である。
【図６】図５の湾曲にした帯状体を少しずらして中空部に変化をもたらした斜視図。
【図７】本発明請求項２の帯状体の平面図である。
【図８】真上から見た図７の帯状体の平面図。
【図９】図８の帯状体を二枚組み合わせた本発明、請求項２の中空部が１個の真上から見た花留の平面図である。
【図１０】本発明、請求項２の花留であっ中空部が１個の図８の斜視図である。
【図１１】本発明請求項２の中空部が２個の帯状体の平面図でスリットの位置と折曲部を示す。
【図１２】図１１の折曲した帯状体を真上から見た平面図。
【図１３】図１２の折曲した帯状体を組み合わせ真上から見た平面図。
【図１４】本発明請求項２の中空部が２個の図１３の斜視図。
【図１５】本発明請求項２の中空部３個の使用状態を示す斜視図で中空部に保水性部材が挿入されている。
【図１６】図１６は、帯状体を連続に湾曲して中空部を設けた請求項３の実施例を示すものである。
【発明を実施するための形態】
【実施例】
【００１０】
以下本発明の実施の形態を図示しながら説明する。
【００１１】
図1に示すものは請求項1の花留であり、帯状体を左右の両端を水平にして図のように折曲し連結したものである。図では左右の両端を水平にしたが、折曲でも良い。又折曲部の数により中空部が増減する。
【００１２】
図２に示すものは、図１に示す帯状体と全く同じ形状を２枚作って、どちらか一方の帯状体の上下を逆にして対向接触させたものであり中空部が３箇所出来ている。
【００１３】
図３に示すものは、図２に示す２枚の帯状体の中空部を固定するために左右の両端を下記図４記載の固定具で止めたものである。図では固定具を使用したが、接触部を固着しても良い。
【００１４】
図４に示すものは、２枚の帯状体を固定するための固定具である。
【００１５】
図５に示すものは２枚の帯状体を全く同じ湾曲にし、その１枚を上下、逆にして、対向接触させ中空部を三箇所設けたものである。
【００１６】
図６は、図５のものを少しずらして、中空部に変化をもたせたものであり、両端は固定具で止めて、中空部に保水性部材が入っている状態を示す。図のように帯状体の側面に穴を設ければ穴からでも花を挿す事が出来る。また穴を明けることにより花留が美しくなる。
【００１７】
図７に示すものは、請求項２の  折曲又は湾曲させた金属もしくは合成樹脂の帯状体を上下に対向接触させることで中空部を形成する。請求項２記載の花留であるから接触部において相互に差し込まれる結束用スリット部を設けた帯状体で、中心の折曲する位置とスリットの位置を示すものである。
【００１８】
図８、に示す帯状体を９０度に折曲した図である。
【００１９】
図９に示すものは、上記図８の帯状体で２枚全く同じ形状のものであり、内１枚を上下、逆にして組み合わせ対向接触させたものである。
【００２０】
図１０は、図９の斜視図であり、中空部が一箇所の花留である。
【００２１】
図１１は請求項２の  折曲又は湾曲させた金属もしくは合成樹脂の帯状体を上下に対向接触させることで中空部を形成する。請求項１記載の花留であるから接触部において相互に差し込まれる結束用スリット部を設けた帯状体で、中心の折曲する位置とスリットの位置を示すものであり中空部が二箇所出来る。
【００２２】
図１２は、図１１に示す帯状体を９０度に折曲した図である。
【００２３】
図１３は、図１２に示す帯状体を２枚全く同じ形状のものを１枚だけ上下、逆にして対向接触させたものである。
【００２４】
図１４は、中空部が二箇所出来た花留である。同じような方法で中空部を増やすことが出来る。
【００２５】
図１５は請求項２の中空部が三箇所あり、中空部には保水性部材を入れ植物を挿した本発明の花留の使用例を示すものである。
【００２６】
図１６は、帯状体を連続に湾曲して中空部を設けた請求項３の実施例を示すものである。
【産業上の利用可能性】
【００２７】
高齢化が進む中で、従来の花留は重量があり重たく、花器もそれなりのものが必要で、水を入れれば更に重たくなり、花を生けること自体難しくなっている。したがって当発明のように、軽くて、身辺の生活雑器に野辺の草花を生けて身近に置けるものが望ましい。花留自体がおしゃれで、軽くて扱い易いので、高齢者は屋外に出て草花を摘む喜びと生けて鑑賞する楽しさを感じられると思うので、商品化も容易であるから社会に貢献できるものと確信する。
【符号の説明】
【００２８】
１・・・・帯状体。
１ａ・・・・折曲部。
１ｂ・・・・湾曲部
２・・・・スリット
３・・・・固定部材
４・・・・保水性部材。
【手続補正書】
【提出日】平成23年7月25日(2011.7.25)
【手続補正１】
【補正対象書類名】特許請求の範囲
【補正対象項目名】全文
【補正方法】変更
【補正の内容】
【特許請求の範囲】
【請求項１】
金属もしくは合成樹脂の帯状体(１)を、山形に折曲(1 a)した波状、または湾曲(１b)の波状で２枚、同形に形成し、内1 枚を上下反転して対向接触させ、固定部材で固定、もしくは固着することで、複数の中空部を並設させ、該中空部に適宜、保水性部材(４)を挿入してなることを特徴とする花留。
【請求項２】
金属もしくは合成樹脂で、山形に折曲(１a)した波状で、折曲部から折曲部の中間にスリット(２)を設けた同形の帯状体(１)を２枚形成し、内１枚を上下反転させ、スリットに差し込み、上下で対向接触させることで中空部を並設する請求項１記載の花留。
【請求項３】
金属もしくは合成樹脂の帯状体(１)を折曲(１a)又は湾曲(１b)して、接触させ固定することにより中空部を並設させ、中空部に保水性部材(４)を挿入してなる花留。
【手続補正２】
【補正対象書類名】明細書
【補正対象項目名】全文
【補正方法】変更
【補正の内容】
【発明の詳細な説明】
【技術分野】
【０００１】
本発明は、花を生ける花留に関するものであって、従来の花留は鉛で造ったものや鋳物製のもの、剣山等、形も様々であるが、茎の細い一本の花を挿す場合、鉛製の花留はバランス的に重たく感じるうえ、挿し難い欠点がある。本発明は軽くて持ち運びに便利な花留であるから子供や高齢者でも扱い易く、身近にある器で花を生けて楽しむことが出来る。現代の住居空間や生活様式に適した花留を提供する。
【背景技術】
【０００２】
従来の花留は鉛で作ったものや鋳物性のもの、剣山など形も様々であるが、茎の細い一本の花を挿す場合、鉛製の花留は重たい感じがしてバランス面から見てもすっきりしない、又年齢を増してくると重たくて扱い難い欠点があった。陶器製の穴の明いている物などあるが、ちょっと茎が太いと入らないという欠点があり、使い難い面もあった。    
【先行技術文献】
【特許文献】
【０００３】
【特許文献１】特開２００２―５８５７７号公報
【特許文献２】特開２００５―８７２２２号公報 (１)の文献は草木の生け込み補助具でありまして、方形の外郭形状を有する金属製の第一の環状板１と方形の外郭形状を有する金属製の第二の環状板２との外縁とがほぼ同面上に位置され、かつ第一の環状板の板面に対し第二の環状板がほぼ直交する向きに配されるように、組み付け合わせてなる補助具となっています。      (２)の文献の生花整形体とそ生花整形体を使用する花器とありまして、花器の中に入れて使用する生花整形体とからなり、生花整形体は花樹を安定させるための区画空隙を備えているものであります。 (３) 対比説明本発明の花留は、文献１との相違として、文献(１)のものは軽い１、２本の花を止めるものでありまして、太い花樹等は不安定で挿し難いものでありますが本発明のものは１本から沢山の花樹を入れることが出来ます。文献(２)のように特定の花器に使用する花樹を安定させるための区画空隙を備えたものではなく、本発明は従来から使用されている剣山、七宝型の花留の感覚で使用するもので、軽量で扱い易く、どんな器や皿にでも簡単に花を生けられるようにした花留であり、上記したように、１本の花から太い花樹でも生けることが出来ます。従いまして本発明とは構成、作用、形状とも異なるものであります。  本発明の花留は、請求項１に示すように、金属もしくは合成樹脂の帯状体(１)を、山形に折曲(1 a)した波状、または湾曲(１b)の波状で、２枚、同形に形成し、内1 枚を上下反転して対向接触させ、固定部材で固定、もしくは固着することで、複数の中空部を並設させ、該中空部に適宜、保水性部材(４)を挿入してなるもの。請求項２に示す、山形に折曲(１a)した波状で、折曲部から折曲部の中間にスリット(２)を設けた同形の帯状体(１)を２枚形成し、内、１枚を上下、反転させスリットに差し込み、上下で対向接触させることで中空部を並設する請求項１記載の花留であります。又請求項３、金属もしくは合成樹脂の帯状体(１)を折曲(１a)又は湾曲(１b)して、接触させ固定することにより中空部を並設させ、中空部に保水性部材(４)を挿入してなる花留。
【発明の概要】
【発明が解決しようとする課題】
【０００４】
上記のように従来の花留は鉛で造ったものや鋳物性のもの、剣山など形状も様々であり、重量があるので、落としたら怪我をする恐れがあった。また重量のあるものでなければ花が倒れてしまった。これを使用するには、それなりの花器でなければ水を充分に入れることが出来ないので、生け花を枯らしてしまうことになる。現在の生活様式や住居の空間を考えると少量の花を生けるには、使い難い面もあるので、手軽に、誰でも、花器として作ったものでなくても生活雑器にでも花を生けて楽しめる花留を提供する。
【課題を解決するための手段】
【０００５】
前述の目的を達成するために、本発明の花留は、請求項１に示すように、金属もしくは合成樹脂の帯状体(１)を、山形に折曲(1 a)した波状、または湾曲(１b)の波状で、２枚、同形に形成し、内1 枚を上下反転して対向接触させ、固定部材で固定、もしくは固着することで、複数の中空部を並設させ、該中空部に適宜、保水性部材(４)を挿入してなるもの。請求項２に示すように、山形に折曲(１a)した波状で、折曲部から折曲部の中間にスリット(２)を設けた同形の帯状体(１)を２枚形成し、内１枚を上下、反転させスリットに差し込み、上下で対向接触させることで中空部を並設する請求項１記載の花留。又請求項３の折曲(１a)又は湾曲(１b)させた金属もしくは合成樹脂の帯状体(１)を接触させることにより中空部を並設させ固定し、何れも中空部に花を生けるものである。前記対向部の空間に保水性部材を収納すれば、容易に花を生けることが出来るものである。
【０００６】
花器も身近にある器や、食器の皿で水が少量であっても、保水性部材が水を吸水しているので、花の鮮度を保つ事が出来る又、少しの空間があれば花を置いて楽しむことが出来る。本発明の花留は軽量なので子供でも、老齢の方でも扱えるものである。本発明の花留は軽量ではあるが支点が多いので安定しており、また保水性部材を花留の中空部に挿入して併用することにより、花留と保水性部材が一体化して重量を増して、安定して活けることが出来るので花も一層挿しやすい利点が生じた。
【０００７】
使用方であるが、任意の容器に本発明の花留を置き、中空部に花を挿すのであるが、中空部が広く挿し辛いときは、花茎を花留の高さに切って中空部を埋めて挿しても良いが、保水性部材を予め、花留の高さに切っておき、花留の上に保水性部材を載せて押さえ切り、もしくは、花留で保水性部材を切り抜く方法等、何れでも良く花留の中空部に保水性部材を簡単に挿入することが出来るので、細い花茎でも、容易に止めることが可能となった。保水性部材は中空部全部に挿入する必要が無く、使用するところだけに挿入すれば良い。従来の花留に比べ本花留は美しいものである。大きく沢山に入れたい場合は花留を２組、３組と増やし固定具で固定することが出来る。まず花を生ける器に保水性部材を挿入した花留を置き、水を器の端から静かに満たし保水性部材に水が充分浸透してから花を生ける。急激に保水性部材の上から水を注ぐと、充分に水が吸収されない。本発明の寸法は特に限定しないが一般的には、一箇所の中空部が２センチ〜４センチ四方で高さも２センチ〜４センチ位のものが扱い易い。材質の金属は錆ないものが望ましい。
【発明の効果】
【０００８】
本発明の花留は上記したように、軽量で簡単に花を挿すことが出来るので、生け花を習得したことが無くても、一輪の花でも挿して楽しむことが出来る。又老若男女、幼児でも、生け花を楽しむ事が出来、幼児や子供においては、色彩感覚を養い情操教育にもなり、これからは高齢化が進む中で、お年よりも身近な器に野辺の花を挿し季節の移ろいを楽しむ事が出来ると確信する。また吸水性部材も花留の必要な箇所の中空部に挿入するので、少量でよい、又従来の花留はあまり美しいものではなかったが、本花留は露出していても美しいものである。
【図面の簡単な説明】
【０００９】
【図１】本発明、請求項１の帯状体を屈折したものを真上から見た平面図である。
【図２】本発明、請求項１の花留であって屈折した帯状体を対向接触したもので真上から見た平面図である。
【図３】本発明請求項１の斜視図であって固定具で左右を止めている。
【図４】中空部を保つための固定具の斜視図である。
【図５】湾曲にした帯状体を対向接触したものを真上から見た平面図である。
【図６】図５の湾曲にした帯状体を少しずらして中空部に変化をもたらした斜視図。
【図７】本発明請求項２の帯状体の平面図である。
【図８】真上から見た図７の帯状体を折曲した平面図。
【図９】図８の帯状体を二枚組み合わせた本発明、請求項２の中空部が１個の真上から見た花留の平面図である。
【図１０】本発明、請求項２の花留であっ中空部が１個の図９の斜視図である。
【図１１】本発明請求項２の中空部が２個の帯状体の平面図でスリットの位置と折曲部を示す。
【図１２】図１１の折曲した帯状体を真上から見た平面図。
【図１３】図１２の折曲した帯状体を組み合わせ真上から見た平面図。
【図１４】本発明請求項２の中空部が２個の図１３の斜視図。
【図１５】本発明請求項２の中空部３個の使用状態を示す斜視図で中空部に保水性部材が挿入されている。
【図１６】図１６は、帯状体を連続に湾曲して中空部を設けた請求項３の実施例を示すものである。
【発明を実施するための形態】
【実施例】
【００１０】
以下本発明の実施の形態を図示しながら説明する。
【００１１】
図1に示すものは請求項1の花留であり、帯状体を左右の両端を水平にして図のように山形の波状に折曲し連結したものである。図では左右の両端を水平にしたが、折曲でも良い。折曲部の数により中空部が増減する。
【００１２】
図２に示すものは、図１に示す帯状体と全く同じ形状を２枚作って、どちらか一方の帯状体の上下を反転して対向接触させたものであり中空部が３箇所出来ている。
【００１３】
図３に示すものは、図２に示す２枚の帯状体の中空部を固定するために左右の両端を下記図４記載の固定具で止めたものである。図では固定具を使用したが、接触部を固着しても良い。
【００１４】
図４に示すものは、２枚の帯状体を固定するための固定具である。
【００１５】
図５に示すものは２枚の帯状体を全く同じ湾曲の波状にし、その１枚を上下、反転して、対向接触させ中空部を三箇所設けたものである。
【００１６】
図６は、図５のものを少しずらして、中空部に変化をもたせたものであり、両端は固定具で止めて、中空部に保水性部材が入っている状態を示す。図のように帯状体の側面に穴を設ければ穴からでも花を挿す事が出来る。また穴を明けることにより花留が美しくなる。
【００１７】
図７に示すものは、  請求項２に示すように、山形に折曲(１a)した波状で、折曲部から折曲部の中間に差し込まれる結束用のスリット(２)を設けた帯状体(１)の平面図である。スリットの位置と折曲線を示す。
【００１８】
図８、に示すものは、図７に示す帯状体を９０度に折曲した図である。
【００１９】
図９に示すものは、上記図８の帯状体で２枚全く同じ形状のものを、内１枚を上下、反転してスリットに差し込み、上下で対向接触させたもので平面図ある。
【００２０】
図１０は、図９の斜視図であり、中空部が一箇所の本発明の花留である。
【００２１】
図１１は請求項２の  山形に折曲(１a)した波状で金属もしくは合成樹脂の帯状体を上下に対向接触させることで中空部を形成するものであり、接触部において相互に差し込まれる結束用スリット部を設けた帯状体で、中心の折曲する位置とスリットの位置を示すものであり中空部が二箇所出来る。
【００２２】
図１２は、図１１に示す帯状体を９０度に折曲した図である。
【００２３】
図１３は、図１２に示す帯状体を２枚全く同じ形状のものを１枚だけ上下、反転して対向接触させたものである。
【００２４】
図１４は、中空部が二箇所出来た花留である。同じような方法で中空部を増やすことが出来る。
【００２５】
図１５は請求項２の中空部が三箇所あり、中空部には保水性部材を入れ植物を挿した本発明の花留の使用例を示すものである。
【００２６】
図１６は、帯状体を連続に湾曲して中空部を設けた請求項３の実施例を示すものである。
【産業上の利用可能性】
【００２７】
高齢化が進む中で、従来の花留は重量があり重たく、花器もそれなりのものが必要で、水を入れれば更に重たくなり、花を生けること自体難しくなっている。したがって当発明のように、軽くて、身辺の生活雑器に野辺の草花を生けて身近に置けるものが望ましい。花留自体がおしゃれで、軽くて扱い易いので、高齢者は屋外に出て草花を摘む喜びと生けて鑑賞する楽しさを感じられると思うので、商品化も容易であるから社会に貢献できるものと確信する。
【符号の説明】
【００２８】
１・・・・帯状体。
１ａ・・・・山形に折曲した波状
１ｂ・・・・湾曲の波状
２・・・・スリット
３・・・・固定部材
４・・・・保水性部材。
【手続補正書】
【提出日】平成23年11月25日(2011.11.25)
【手続補正１】
【補正対象書類名】特許請求の範囲
【補正対象項目名】全文
【補正方法】変更
【補正の内容】
【特許請求の範囲】
【請求項１】
金属もしくは合成樹脂の帯状体（１）を、山形に折曲（１ａ）した波状、または湾曲（１ｂ）の波状で２枚、同形に形成し、内１枚を上下反転して対向接触させ、固定部材で固定、もしくは、固着することで、複数の中空部を並設させ、該中空部に保水性部材（４）を挿入してなることを特徴とする花留。
【請求項２】
金属もしくは合成樹脂で、山形に折曲（１ａ）した波状で、折曲部から折曲部の中間にスリット（２）を設けた同形の帯状体（１）を２枚形成し、内１枚を上下反転させ、スリットに差し込み、上下で対向接触させることで中空部を並設する請求項１記載の花留。